【手続補正書】
【提出日】平成16年10月27日(2004.10.27)
【手続補正１】
【補正対象書類名】明細書
【補正対象項目名】特許請求の範囲
【補正方法】変更
【補正の内容】
【特許請求の範囲】
【請求項１】
回転式の吸湿器と、前記吸湿器内部に充填され、水分を吸収する吸湿剤と、前記吸湿器内の風路を分割された吸湿部を通り、吸湿用空気から水分を吸収する吸湿経路と、前記吸湿器内の風路を分割された再生部を通り、前記吸湿剤を再生する再生経路と、前記再生経路内を通り再生用空気を昇温する再生用ヒータと、前記再生用空気内の水分を凝縮させて除去する凝縮器とを備えた除湿機において、
前記凝縮器を通過後の前記再生経路の一部に通気抵抗を設けたことを特徴とする除湿機。
【請求項２】
前記凝縮器を通過後の前記再生経路を構成する部材が、前記再生経路内部の少なくとも一部を可視できる材料で構成されていることを特徴とする請求項１に記載の除湿機。
【請求項３】
前記吸湿経路の送風機を停止時に、前記再生経路の送風機と前記再生用ヒータとを運転可能としたことを特徴とする請求項１または請求項２に記載の除湿機。
【請求項４】
前記凝縮器を通過後の前記再生用空気を、前記吸湿経路における前記吸湿器の前に合流させたことを特徴とする請求項１〜請求項３のいずれか一つに記載の除湿機。
【請求項５】
前記再生経路における前記凝縮器の出口側形状を、長溝状としたことを特徴とする請求項１〜請求項４のいずれか一つに記載の除湿機。
【手続補正２】
【補正対象書類名】明細書
【補正対象項目名】００２２
【補正方法】削除
【補正の内容】
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】削除
【補正の内容】
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】削除
【補正の内容】
【手続補正１０】
【補正対象書類名】明細書
【補正対象項目名】００３０
【補正方法】削除
【補正の内容】
【手続補正１１】
【補正対象書類名】明細書
【補正対象項目名】００３１
【補正方法】削除
【補正の内容】
【手続補正１２】
【補正対象書類名】明細書
【補正対象項目名】００３２
【補正方法】変更
【補正の内容】
【００３２】
【課題を解決するための手段】
上記目的を達成するために、本発明は、回転式の吸湿器と、前記吸湿器内部に充填され、水分を吸収する吸湿剤と、前記吸湿器内の風路を分割された吸湿部を通り、吸湿用空気から水分を吸収する吸湿経路と、前記吸湿器内の風路を分割された再生部を通り、前記吸湿剤を再生する再生経路と、前記再生経路内を通り再生用空気を昇温する再生用ヒータと、前記再生用空気内の水分を凝縮させて除去する凝縮器とを備えた除湿機において、前記凝縮器を通過後の前記再生経路の一部に通気抵抗を設けている。
【手続補正１３】
【補正対象書類名】明細書
【補正対象項目名】００３４
【補正方法】変更
【補正の内容】
【００３４】
また、前記凝縮器を通過後の前記再生経路を構成する部材が、前記再生経路内部の少なくとも一部を可視できる材料で構成されている。
【手続補正１４】
【補正対象書類名】明細書
【補正対象項目名】００３６
【補正方法】変更
【補正の内容】
【００３６】
また、前記吸湿経路の送風機を停止時に、前記再生経路の送風機と前記再生用ヒータとを運転可能としている。
【手続補正１５】
【補正対象書類名】明細書
【補正対象項目名】００３７
【補正方法】変更
【補正の内容】
【００３７】
この構成によると、除湿機の運転停止後に、再生経路の送風機を運転した際に、吸湿用空気は流れずに、高温の乾燥した再生用空気が再生経路に流れる。また、前記凝縮器を通過後の前記再生用空気を、前記吸湿経路における前記吸湿器の前に合流させている。この構成によると、凝縮器を通った相対湿度１００％の再生用空気は、吸湿器の吸湿部を通って吸湿された後除湿機外に放出され、吸湿剤に吸収された水分は、再生経路を通って凝縮される。また、前記再生経路における前記凝縮器の出口側形状を、長溝状としている。この構成によると、凝縮器の出口付近の凝縮水は、長溝部を下方に伝って、長溝の下方端部で表面張力によって留まり、適当な重量となって、凝縮器より落下する。
【手続補正１６】
【補正対象書類名】明細書
【補正対象項目名】００４２
【補正方法】変更
【補正の内容】
【００４２】
また、受熱区域２ｂｃの吸湿剤２６が、再生用空気７ｂ２の余熱を回収して再生区域２ｂｂに引き渡す第２の熱回収回路Ｅが形成されることにより、吸湿剤２６が再生区域に位置する前に予め昇温されるので、吸湿剤２６の再生に必要な温度まで再生空気７ｂを昇温させる、再生用ヒータ５の加熱エネルギーを低減可能である。
【手続補正１７】
【補正対象書類名】明細書
【補正対象項目名】００４７
【補正方法】変更
【補正の内容】
【００４７】
この構成によると、昇温された再生用空気７ｂの余熱を熱交換器８と吸湿用空気１４ｃを介して吸湿剤２６が回収する回収回路Ｆが形成されることにより、吸湿剤２６が再生区域に位置する前に予め昇温されるので、吸湿剤２６の再生に必要な温度まで再生空気７ｂを昇温させる、再生用ヒータ５の加熱エネルギーを低減可能である。
【手続補正１８】
【補正対象書類名】明細書
【補正対象項目名】００５２
【補正方法】変更
【補正の内容】
【００５２】
この構成によると、昇温された再生用空気７ｂの余熱を熱交換器９と吸湿用空気１４ｃを介して吸湿剤２６が回収する熱回収回路Ｇが形成されることにより、吸湿剤２６が再生区域に位置する前に予め昇温されるので、吸湿剤２６の再生に必要な温度まで再生空気７ｂを昇温させる、再生用ヒータ５の加熱エネルギーを低減可能である。
【手続補正１９】
【補正対象書類名】明細書
【補正対象項目名】００６８
【補正方法】削除
【補正の内容】
【手続補正２０】
【補正対象書類名】明細書
【補正対象項目名】００６９
【補正方法】削除
【補正の内容】
【手続補正２１】
【補正対象書類名】明細書
【補正対象項目名】００７０
【補正方法】削除
【補正の内容】
【手続補正２２】
【補正対象書類名】明細書
【補正対象項目名】００７１
【補正方法】変更
【補正の内容】
【００７１】
【発明の効果】
本発明によると、再生用空気循環式除湿機において、再生経路における凝縮器出口部の気圧を大気圧よりも高く維持できるので、凝縮水の排出がスムーズに行われる。
【手続補正２３】
【補正対象書類名】明細書
【補正対象項目名】００７２
【補正方法】変更
【補正の内容】
【００７２】
また、除湿効果をユーザが視認可能となる。
【手続補正２４】
【補正対象書類名】明細書
【補正対象項目名】００７３
【補正方法】変更
【補正の内容】
【００７３】
また、再生経路内を乾燥した状態に維持できるので、かびの発生、雑菌の繁殖、金属部の腐食などを防止することができる。また、再生経路における凝縮器出口の有効面積は常に一定するので、安定した凝縮効率を得ることが可能となる。また、再生経路における凝縮器出口の有効面積は常に一定するので、安定した凝縮効率を得ることが可能となる。